(57)【要約】【課題】  吹き流しが照明器具に当たっても、吹き流しが傷つき破砕することを抑制可能な風向灯を提供する。【解決手段】  風向灯１は、地面５に立設される支柱２と、器具本体１２、光源１３およびカバ−１４，１５を有してなり、外周３ａが略円形に形成され、中央部が支柱２の上部７ａ側に取り付けられて下方を照明する照明器具３と、照明器具３により照明されるように照明器具３よりも下部７ｂ側の位置で支柱２に回転可能に取り付けられる吹き流し４とを具備している。【選択図】図１
2012099234.tif 000002
【特許請求の範囲】
【請求項１】
地面に立設される支柱と；
外周が略円形に形成され、中央部が支柱の上部側に取り付けられて下方を照明する照明器具と；
この照明器具により照明されるように照明器具よりも下部側の位置で支柱に回転可能に取り付けられる吹き流しと；
を具備していることを特徴とする風向灯。
【請求項２】
前記照明器具は、器具本体と、この器具本体の少なくとも下面側に配設された光源と、外周が略円形に形成され、前記光源を内包するように前記器具本体に設けられたカバーとを備えるとともに、中央部に支柱が貫通する貫通孔を有しかつこの貫通孔を中心として複数に分割可能に形成されていて、前記貫通孔に支柱が貫通して前記器具本体が取付け手段により支柱に取り付けられることを特徴とする請求項１記載の風向灯。
【請求項３】
前記照明器具は、その最大径が吹き流しの全長の１／５以下となるように形成されていることを特徴とする請求項１または２記載の風向灯。
【発明の詳細な説明】
【技術分野】
【０００１】
本発明の実施形態は、風向きを示す吹き流しが照明される風向灯に関する。
【背景技術】
【０００２】
この種の風向灯は、例えば飛行場に設置されており、夜間においても上空から吹き流しが指示する風向きを確認できるように構成されている。すなわち、図６に示すように、風向灯３０は、地面５に立設された支柱２に吹き流し４が回転可能に設けられており、当該吹き流し４を照明するために吹き流し４よりも天空側に４つの電球式灯具３１が設けられている。４つの電球式灯具３１は、適宜の長さの直交するアーム３２を介して支柱２に取り付けられている（例えば非特許文献１参照。）。
【先行技術文献】
【特許文献】
【０００３】
【非特許文献１】運輸省航空局仕様書  灯仕第２７８号、２型風向灯、平成７年１月２７日制定、Ｐ９
【発明の概要】
【発明が解決しようとする課題】
【０００４】
吹き流しは、乱流的な強風が吹くと、天空側に舞い上がり、支柱のアームに引っ掛かり、電球式灯具にぶつかることがある。ここで、吹き流しは、アームに引っ掛かり絡まると、風向灯としての役割を果たすことができない。また、吹き流しは、アームや灯具の突起部分などに当たって傷つき、さらに破砕するという問題があった。
【０００５】
本発明は、吹き流しが照明器具に当たっても、吹き流しが傷つき破砕することを抑制可能な風向灯を提供することを目的とする。
【課題を解決するための手段】
【０００６】
実施形態の風向灯は、支柱、照明器具および吹き流しを有して構成される。
【０００７】
実施形態の支柱は、地面に立設され、照明器具および吹き流しを取り付ける。
【０００８】
実施形態の照明器具は、外周が略円形に形成されているとともに、中央部が支柱の上部側に取り付けられて下方を照明するように形成されている。
【０００９】
実施形態の吹き流しは、照明器具により照明されるように照明器具よりも下部側の位置で支柱に取り付けられる。また、吹き流しは、風向きを示すために、支柱に回転可能にして取り付けられる。
【発明の効果】
【００１０】
本発明によれば、照明器具は、その外周が略円形に形成されているとともに、その中央部が支柱の上部側に取り付けられ、アームにより支柱に取り付けられるものでないので、１つの照明器具で風向きに応じて自由に回転する吹き流しを視認可能に照明できるとともに、吹き流しが照明器具側に舞い上がって照明器具の外周に当たっても、傷つきにくく、破砕しにくくなることが期待できる。
【図面の簡単な説明】
【００１１】
【図１】本発明の実施例１を示す風向灯の概略正面図である。
【図２】同じく、風向灯の概略上面図である。
【図３】同じく、カバーを透視した照明器具を示し、（ａ）は概略正面図、（ｂ）は概略下面図である。
【図４】本発明の実施例２を示すカバーを透視した照明器具であり、（ａ）は概略正面図、（ｂ）は概略下面図である。
【図５】同じく、カバーを透視した照明器具であり、（ａ）は概略分解正面図、（ｂ）は概略分解下面図である。
【図６】従来の風向灯を示し、（ａ）は概略上面図、（ｂ）は概略正面図である。
【発明を実施するための形態】
【００１２】
以下、本発明の一実施の形態について、図面を参照して説明する。
【実施例１】
【００１３】
本発明の実施例１の風向灯１は、図１ないし図３に示すように構成されている。なお、図１において、図６と同一部分には同一符号を付している。
【００１４】
図１および図２において、風向灯１は、例えば飛行場に設置されるものであり、支柱２、照明器具３および吹き流し４を有して形成されている。
【００１５】
支柱２は、地面５に埋設された土台６と、この土台６にそれぞれ取り付けられた１本のポール７および２本のポール８と、ポール７，８を固定する固定板９を有して形成されている。土台６は、コンクリートからなり、例えば直方体に形成されて地中深く埋設され、その一部が地面５から露出している。
【００１６】
ポール７は、例えば鉄製パイプからなり、長尺の円筒に形成されている。２本のポール８は、その全長がポール７の半分程度である点を除いて、ポール７と同様に形成されている。ポール７および２本のポール８は、地面５よりも地中側に深くなるようにしてかつ三角形の位置となるようにして土台６に埋め込まれている。
【００１７】
そして、固定板９は、ポール７を貫通させるとともに、ポール７および２本のポール８を例えば溶接により固定している。ポール７および２本のポール８は、固定板９において、三角形の位置で固定されている。これにより、ポール７および２本のポール８は、土台６に強固に立設されている。こうして、支柱２は、地面５に対して鉛直方向となって地面５に立設されている。
【００１８】
そして、ポール７は、その上部７ａ側に例えば銅製の避雷針１０を図示しない取付け手段により取り付けているとともに、照明器具３を取り付けている。また、ポール７は、照明器具３の下部側である照明器具３および固定板９の中間７ｂに回転治具１１を介して吹き流し４を取り付けている。
【００１９】
照明器具３は、図３（ａ）に示すように、器具本体１２、この器具本体１２に配設された光源としての複数個の発光ダイオード１３、カバーとしての下面側カバー１４および上面側カバー１５を有して形成されている。
【００２０】
器具本体１２は、例えばアルミニウム鋳造品でできており、略盃状の塊りに形成されている。すなわち、器具本体１２は、円形の平面に形成された下面１２ａ、この下面１２ａに逆円錐台に連設している側面１２ｂおよびこの側面１２ｂに連設している円形の平面に形成された上面１２ｃを有している。
【００２１】
また、器具本体１２は、上面１２ｃの中央部に、外方に突出する円柱状の支柱嵌合部１６を一体に形成している。そして、下面１２ａから支柱嵌合部１６の上面１６ａに貫通する段付きの貫通孔１７が設けられている。貫通孔１７は、円柱状に形成され、かつ支柱嵌合部１６での直径が支柱２のポール７の外径よりも若干大きくなるように形成されている。また、支柱嵌合部１６の外周面（側面）１６ｂには、１８０°回転間隔または９０°回転間隔で、取付け手段としての図示しないボルトがねじ込まれる複数のねじ孔１８が形成されている。
【００２２】
光源１３は、可視光を放射するパッケージに形成された発光ダイオードであり、その複数個が器具本体１２の下面１２ａ側および側面１２ｂ側にそれぞれ配設されている。発光ダイオード１３は、器具本体１２に下面１２ａおよび側面１２ｂに形成された図示しない絶縁層を介して実装されている。また、発光ダイオード１３は、図３（ｂ）に示すように、器具本体１２の下面１２ａ側に１列で環状に配設され、側面１２ｂ側に２列で環状に配設されている。発光ダイオード１３は、列毎に図示しない配線パターンにより接続されている。
【００２３】
発光ダイオード１３は、別置されている電源装置から定電流が供給されることにより点灯する。電源装置の出力線は、地中に配設された図示しない配管および支柱２のポール７の内部に配設されて、ボール７に設けた図示しない孔から照明器具３に導入されている。下面１２ａ側に配設された発光ダイオード１３は、器具本体１２の直下側の下方を照明し、側面１２ｂ側に配設された発光ダイオード１３は、器具本体１２の周回に亘る側方側を照明する。
【００２４】
下面側カバー１４は、透光性の例えばアクリル樹脂により、図３（ａ）に示すように、器具本体１２の下面１２ａおよび側面１２ｂに沿う略盃状に形成されている。すなわち、下面側カバー１４は、円形の平面に形成された下面１４ａおよびこの下面１４ａに逆円錐台に連設している側面１４ｂを有して形成されている。そして、下面１４ａおよび側面１４ｂの境界部１９と、上端２０は、それぞれＲ面に形成されている。このように、下面側カバー１４は、下面１４ａおよび側面１４ｂが一連の滑面に形成されている。ここで、平面も滑面に包含されるものである。こうして、下面側カバー１４は、その外周１４ｃが略円形に形成されている。
【００２５】
そして、下面側カバー１４は、その下面１４ａの中央部に器具本体１２の貫通孔１７に連通する貫通孔２１が形成されている。貫通孔２１は、貫通孔１７の径大部よりも大きく形成され、支柱２のポール７が貫通する。こうして、照明器具３は、その中央部に支柱２のポール７が貫通する貫通孔１７および貫通孔２１を有している。
【００２６】
下面側カバー１４は、その内側が光源としての発光ダイオード１３に略接触するようにして、器具本体１２の例えば側面１２ｂに図示しない取付け手段例えば接着材により取り付けられている。下面側カバー１４は、器具本体１２の下面１２ａおよび側面１２ｂを包囲するように器具本体１２に設けられ、発光ダイオード１３を内包している。
【００２７】
上面側カバー１５は、例えばアクリル樹脂により器具本体１２の上面１２ｃ側を覆う略逆皿状に形成されている。そして、図示しない挿通孔に器具本体１２の支柱嵌合部１６を挿通し、器具本体１２の上面１２ｃに嵌め込まれている。上面側カバー１５は、その上面１５ａが滑らかな傾斜面に形成されているとともに、下端２２がＲ面に形成されて下面側カバー１４の上端２０と一連の滑面となるように形成されている。こうして、上面側カバー１５は、その外周１５ｃが略円形に形成されている。
【００２８】
照明器具３は、下面側カバー１４の外周１４ｃおよび上面側カバー１５の外周１５ｃがそれぞれ略円形に形成されていることにより、その外周３ａが略円形に形成されている。そして、上面側カバー１５は、その内部に水分が侵入しないように、支柱嵌合部１６が挿通された挿通孔に、例えばシリコーン樹脂からなる図示しない封止材が塗布されている。
【００２９】
そして、上面カバー１５または下面カバー１４は、その最大径Ｄ１が吹き流し４の全長の１／５以下となるように形成されている。すなわち、照明器具３の最大径Ｄ１が吹き流し４の全長の１／５以下となっている。照明器具３の最大径Ｄ１が吹き流し４の全長の１／５以下であれば、管制塔や上空の飛行機から風向灯１を視認したときに、吹き流し４が照明器具３により遮られにくくなり、吹き流し４のはためいている状態が確認可能となる。ここで、前記最大径Ｄ１の下限値は、照明器具１が吹き流し４を照明可能に設定される。
【００３０】
照明器具３は、図１において、下面側カバー１４の下面１４ａ側から貫通孔２１および貫通孔１７に支柱２のポール７を貫通させた後、器具本体１２の複数のねじ孔１８に取付け手段としてのボルトをねじ込み、ボルトの先端をポール７に押し当てることにより、支柱２のポール７の上部７ａ側に取り付けられている。そして、光源としての発光ダイオード１３から放射された可視光により、下方である地面５側を照明し、吹き流し４を照明する。
【００３１】
吹き流し４は、支持台２３、吹流し部２４ａ〜２４ｄおよび回転治具１１，１１を有して形成されている。支持台２３は、比較的軽い金属例えばアルミニウムにより略円筒体に形成され、回転治具１１，１１に取り付けられている。吹流し部２４ａ〜２４ｄは、風にはためくような素材例えばナイロン平織布からなり、先細りする円錐台状に形成されて、図示しない縫糸および補強テープにより順次結合されている。そして、吹流し部２４ａが図示しない糸および補強テープにより支持台２３に取り付けられている。支持台２３および吹き流し部２４ａ〜２４ｄは、順次、例えば黄赤、白、黄赤、白、黄赤に配色されている。
【００３２】
回転治具１１，１１は、支柱２のポール７の周りに自由に回転する周知に形成されている。そして、回転治具１１，１１は、照明器具３および固定板９の中間７ｂにおいて、支柱２のポール７に取り付けられている。すなわち、吹き流し４は、照明器具３の光源としての発光ダイオード１３により照明されるように、照明器具３よりも下部側（地面５側）の位置でポール７にポール７の周りに回転可能に取り付けられている。吹き流し４は、支持台２３および吹流し部２４ａ〜２４の内部に風が通過することにより、風向きを示す。
【００３３】
そして、吹き流し４は、その支持台２３が照明器具３の下面１２ａ側に配設された発光ダイオード１３から放射された可視光により主として照明され、その吹流し部２４ａ〜２４が照明器具３の側面１２ｂ側に配設された発光ダイオード１３から放射された可視光により主として照明される。これらにより、例え夜間であっても、上空からでも、吹き流し４のはためく方向を確認することが可能となっている。
【００３４】
次に、本発明の実施例１の作用について述べる。
【００３５】
風向灯１に風が吹くと、風は、吹き流し４の支持台２３の流入口から支持台２３の内部に入り、吹流し部２４ａ〜２４ｄの内部を通過して、吹流し部２４ｄから外部に流出する。そして、吹き流し４は、支持台２３の開口が風向きの方向を向いていないほど、流入した風により支持台２３および吹流し部２４ａ〜２４ｄのそれぞれの内面が押圧され、この押圧により回転治具１１，１１が支柱２のポール７の周りに回転して、風向きの方向を向くようになる。
【００３６】
吹き流し４は、風向きの方向を向いていると、支持台２３に流入した風がスムーズに吹流し部２４ａ〜２４ｄを通過し、支持台２３および吹流し部２４ａ〜２４ｄのそれぞれの内面の押圧が低くなるので、回転治具１１，１１の回転が僅かなものとなる。そして、吹流し部２４ａ〜２４ｄは、先細りの円錐台に形成されているので、吹き流し４に流入する風の風速よりも吹き流し４から流出する風速が大きくなり、吹流し部２４ａ〜２４ｄに浮力が発生する。これにより、吹き流し４は、空気中に全長に亘って停留して、はためくようになる。そして、吹き流し４を視認することにより、上空からでも地上における風向きの方向を確認することが可能となる。
【００３７】
そして、曇りや夜間など、風向灯１の周りが暗いときには、電源装置に電源を投入することにより、照明器具３の光源としての発光ダイオード１３が点灯する。発光ダイオード１３から可視光が放射され、可視光は、下面側カバー１４を透過して吹き流し４に照射される。器具本体１２は、貫通孔１７を中心として回転対称に形成され、発光ダイオード１３は、器具本体１２の貫通孔１７に対して環状に配設されているので、照明器具３の可視光は、支柱２の周りにほぼ均等に照射する。そして、器具本体１２の下面１２ａ側に配設された発光ダイオード１３の可視光は、主として吹き流し４の前端側である支持台２３側を照射し、器具本体１２の側面１２ｂ側に配設された発光ダイオード１３の可視光は、主として吹き流し４の後端側である吹流し部２４ａ〜２４ｄ側を照射する。これにより、吹き流し４が例え夜間にポール７の周りに自由に回転しても、吹き流し４の向いている方向を視認することが可能となり、地上に限らず、上空からでも地上における風向きの方向を確認することが可能となる。
【００３８】
また、照明器具３は、その最大径Ｄ１が吹き流し４の全長の１／５以下に形成されているとともに、器具本体１２の下面１２ａ側に配設されている発光ダイオード１３が吹き流し４を重力の作用する鉛直方向に対して斜め方向から照射するので、夜間に遠方の上空から風向灯１を視認したときに、照明器具３により吹き流し４が遮られにくく、吹き流し４のほぼ全体を視認することができて、これにより、地上における風向きの方向を確認することが可能となる。
【００３９】
そして、風向灯１に乱流的な強風が吹くと、風向きが連続的に変化し、回転治具１１，１１が連続的に回転し、吹き流し４が支柱２のポール７の周りに連続的に回転する。また、乱流的な強風が吹き流し４の内部に流入し、吹流し部２４ａ〜２４ｄにおける浮力が連続的に変化する。このとき、吹流し部２４ａ〜２４ｄが天空側に舞い上がり、照明器具３に当たることがある。
【００４０】
照明器具３は、その下面側カバー１４の外面である下面１４ａ、側面１４ｂおよび上端２０が一連の滑面に形成され、その上面側カバー１５の外面である上面１５ａおよび下端２１が一連の滑面に形成され、かつ上端２０および下端２１が一連の滑面に形成されていて、その外周３ａが略円形に形成されているので、風にはためくような素材例えばナイロン平織布により形成された吹流し部２４ａ〜２４ｄが下面側カバー１４および上面側カバー１５のそれぞれの外面に当たっても、傷つくことが抑制され、破砕に至ることが抑制される。
【００４１】
また、照明器具３は、その中央部に形成された貫通孔１７，２１に支柱２のポール７が貫通して、器具本体１２が取付け手段としてのボルトによりポール７に取り付けられるものであり、図６に示す従来の風向灯３０のようにアーム３２によりポール７に取り付けられるものでないので、吹き流し４の引っ掛かりや絡みが防止される。
【００４２】
上述したように、本実施形態の風向灯１は、照明器具３の外周３ａが略円形に形成されていることにより、突起や凸部を有しない一連の滑面となっているので、吹き流し４が照明器具３側に舞い上がって下面側カバー１４および上面側カバー１５の外面に当たっても傷つきにくく、破砕に至りにくくなるとともに、引っ掛かりや絡みが防止されて、その修繕や交換を抑制できるという効果を有する。
【００４３】
また、本実施形態の風向灯１は、その照明器具３の器具本体１２が貫通孔１７（支柱２のポール７）を中心として回転対称に形成されているとともに、その照明器具３に光源として発光ダイオード１３が用いられ、この発光ダイオード１３が器具本体１２の貫通孔１７を中心として環状に配設されているので、風向きに応じて支柱２のポール７の周りに自由に回転する吹き流し４に１個の照明器具３から可視光を照射することができるという効果を有する。風向灯１は、１個の照明器具３により構成されるので、安価にすることができる。
【００４４】
また、本実施形態の風向灯１は、その照明器具３が吹き流し４を重力の作用する鉛直方向に対して斜め方向から照射する光源としての発光ダイオード１３を有してなり、照明器具３の最大径Ｄ１が吹き流し４の全長の１／５以下となるように形成されているので、夜間に遠方の上空から風向灯１を視認したときに、照明器具３により吹き流し４が遮られることが抑制され、容易に風向きを確認することができるという効果を有する。
【００４５】
なお、本実施形態の照明器具３は、その外周３ａが略円形に形成されていればよく、例えば略円筒形であってもよい。また、照明器具３は、支柱２のポール７が貫通する貫通孔１７，２１を設けず、例えば、ポール７の上部７ａの上面に取付け手段により取り付けるなど、ポール７に直接的に取り付ける構造に形成されてもよい。
【００４６】
そして、本実施形態の風向灯１は、吹き流し４が照明器具３に当たっても傷つきにくく、破砕しにくくなるように、吹き流し４が引っ掛かり絡まないように構成している。しかし、吹き流し４そのものを照明器具３側に舞い上がらないように構成することが考えられる。例えば、吹流し部２４ａ〜２４ｄを個別パーツとし、各パーツを留め具によって留めることが考えられる。留め具は、点ファスナー（スナップボタン）、線ファスナー（ジッパー、チャック等）や面ファスナー（マジックテープ(登録商標)等）とすることができる。
【００４７】
また、吹き流し４が照明器具３側に舞い上がらないように、吹流し部２４ａ〜２４ｄに骨組を設けて可折式構造とすることが考えられる。また、吹き流し４が照明器具３側に舞い上がらないように、吹き流し４と支柱２との間を固定部材により固定することが考えられる。
【００４８】
しかしながら、吹き流し４は、上記のように構成されると、複雑な構成となって高価となる。これにより、風向灯１は、コストアップするという欠点を有する。
【実施例２】
【００４９】
図４および図５は、本発明の実施例２を示す照明器具である。なお、図３と同一部分には同一符号を付して説明は省略する。
【００５０】
図４に示す照明器具２５は、図３に示す照明器具３において、器具本体１２、下面側カバー１４および上面側カバー１５が貫通孔１７，２１を中心として対称となるように二分割されたものである。すなわち、照明器具２５は、図５に示すように、二分割された照明器具２５Ａ，２５Ｂおよび取付け手段としての連結金具２６を有して構成されている。
【００５１】
照明器具２５Ａ，２５Ｂは、それぞれ器具本体１２、下面側カバー１４および上面側カバー１５を二分割した一方および他方を有して構成されている。そして、図示しないが、照明器具２５Ａ，２５Ｂの結合面（接合面）は、平面に形成されている。照明器具２５Ａ，２５Ｂは、支柱嵌合部１６Ａにねじ孔１８を有していなく、取付け手段としての連結金具２６によって照明器具２５として結合されるとともに、支柱２のポール７に取り付けられる。以下、図３に示す照明器具３と同様に形成されている。
【００５２】
連結金具２６は、一対であり、長方形の金属板の中央部を半球状に突出させて、支柱嵌合部１６を挟み込み可能に形成されている。連結金具２６の両端部には、ボルト２７が挿通される図示しない孔が形成されている。
【００５３】
連結金具２６は、照明器具２５Ａ，２５Ｂを支柱２のポール７を介して接合させた後、支持嵌合部１６の側面１６ｂにおいて、一対が正対して設けられる。そして、一方の連結金具２６の両端部の孔にそれぞれワッシャー２８を介してボルト２７を挿入し、ボルト２７を他方の連結金具２６の孔に挿通させ、図示しないナットをボルト２７に螺合させる。ナットを締め付けることにより、照明器具２５Ａ，２５Ｂは、対をなす連結金具２６により締め付けられて結合するとともに、支柱２のポール７に取り付けられる。
【００５４】
本実施形態の照明器具２５は、二分割された照明器具２５Ａ，２５Ｂを支柱２のポール７を挟むように正対させ、支持嵌合部１６の側面１６ｂに設けられた対をなす連結金具２６により結合されるとともにポール７に取り付けられ、例えば支柱２の避雷針１０側から取り付けることを要しないので、照明器具２５のポール７への取付け、取外しを容易に行えるという効果を有する。
【００５５】
なお、照明器具２５は、３分割以上に構成されてもよい。また、連結金具２６の他に、照明器具２５をポール７に固定する他の取付け手段を設けてもよい。
【符号の説明】
【００５６】
１，２５…風向灯、  ２…支柱、  ３…照明器具、  ４…吹き流し、  １２…器具本体、  １３…光源としての発光ダイオード、  １４…カバーとしての下面側カバー、  １５…カバーとしての上面側カバー、  １７，２１…貫通孔、  ２６…取付け手段としての連結金具
【図１】
2012099234.tif 000003
【図２】
2012099234.tif 000004
【図３】
2012099234.tif 000005
【図４】
2012099234.tif 000006
【図５】
2012099234.tif 000007
【図６】
2012099234.tif 000008